(57)【要約】【課題】参加者の積極的な討論及び採決における意思表示を促進できる会議方法、会議システム、情報処理装置、及びコンピュータプログラムを提供する。【解決手段】端末装置２が、会議の参加者によって入力された発言情報、又は提案に対する投票情報を中央装置１へ送信し、中央装置１が、受信した発言情報、又は、受信した投票情報を集計してなる集計結果を、端末装置２，２へ送信することによって会議を行なう。また、中央装置１は、ポイントテーブル１４ａを参照して、発言情報又は投票情報に応じた点数を算出し、参加者毎に、参加者データベース１５に記憶させる。この点数は、所定の特典の対価となる。【選択図】        図２
2004236196.tif 000002
【特許請求の範囲】
【請求項１】
記憶手段を有する中央装置と、該中央装置と通信する１又は複数の端末装置とを用いる会議方法であって、
一の端末装置が、会議の参加者を識別する識別情報、及び提案情報又は意見情報を中央装置へ送信し、該中央装置は、受信した提案情報又は意見情報を、受信した識別情報に関連付けて記憶手段に記憶し、記憶された提案情報又は意見情報を、前記一の端末装置及び／又は他の端末装置へ送信し、
前記一の端末装置、又は他の端末装置は、会議の参加者を識別する識別情報、及び受信した提案情報に対応する賛成又は反対を示す賛成情報又は反対情報を前記中央装置へ送信し、該中央装置は、受信した賛成情報又は反対情報の数を集計し、
受信した提案情報、意見情報、賛成情報又は反対情報を数値化することを特徴とする会議方法。
【請求項２】
記憶手段を有する中央装置と、該中央装置と通信する１又は複数の端末装置とを備える会議システムであって、
前記中央装置は、
会議の参加者を識別する識別情報、及び提案情報又は意見情報を受信する手段と、受信した提案情報又は意見情報を、受信した識別情報に関連付けて記憶手段に記憶する手段と、記憶された提案情報又は意見情報を、前記端末装置へ送信する手段と、
会議の参加者を識別する識別情報、及び前記記憶手段に記憶された提案情報に対応する賛成又は反対を示す賛成情報又は反対情報を受信する手段と、受信した賛成情報又は反対情報の数を集計する手段と、
受信した提案情報、意見情報、賛成情報又は反対情報を数値化する手段とを備え、
前記端末装置は、
会議の参加者を識別する識別情報、及び提案情報又は意見情報を前記中央装置へ送信する手段と、提案情報又は意見情報を受信する手段と、会議の参加者を識別する識別情報、及び受信した提案情報に対応する賛成又は反対を示す賛成情報又は反対情報を前記中央装置へ送信する手段とを備えることを特徴とする会議システム。
【請求項３】
記憶手段を備える情報処理装置であって、
会議の参加者を識別する識別情報及び提案情報を受信する手段と、
受信した提案情報を、受信した識別情報に関連付けて記憶手段に記憶する手段と、
会議の参加者を識別する識別情報、及び前記記憶手段に記憶された提案情報に対応する意見情報を受信する手段と、
受信した意見情報を、前記提案情報及び受信した識別情報に関連付けて記憶手段に記憶する手段と、
記憶された提案情報又は意見情報を外部へ送信する手段と、
会議の参加者を識別する識別情報、及び前記記憶手段に記憶された提案情報に対応する賛成又は反対を示す賛成情報又は反対情報を受信する手段と、
受信した賛成情報又は反対情報の数を集計する手段と、
受信した提案情報、意見情報、賛成情報又は反対情報を数値化する数値化手段とを備えることを特徴とする情報処理装置。
【請求項４】
前記数値化手段は、受信した提案情報、意見情報、賛成情報又は反対情報の数及び所定の係数の積を算出するよう構成してあることを特徴とする請求項３に記載の情報処理装置。
【請求項５】
前記記憶手段に記憶された一の提案情報に関連付けて記憶された意見情報、賛成情報、又は反対情報の数を計数する手段と、
計数結果が所定数以上である場合に、前記提案情報に関連付けて、計数結果が所定数以上であることを示す情報を記憶手段に記憶する手段と、記憶された情報を外部へ送信する手段とを備えることを特徴とする請求項３又は４に記載の情報処理装置。
【請求項６】
会議の参加者を識別する識別情報、及び前記記憶手段に記憶された意見情報に対応する追加意見情報を受信する手段と、
受信した追加意見情報を、前記記憶手段に記憶された意見情報及び受信した識別情報に関連付けて記憶手段に記憶する手段とを備えることを特徴とする請求項３乃至５の何れかに記載の情報処理装置。
【請求項７】
受信した意見情報、追加意見情報、賛成情報又は反対情報を数値化して、前記意見情報、前記賛成情報若しくは前記反対情報が対応している提案情報、又は、前記追加意見情報が対応している意見情報に関連付けて記憶されている識別情報に関連付けて記憶手段に記憶する手段を更に備えることを特徴とする請求項６に記載の情報処理装置。
【請求項８】
記憶手段を備えるコンピュータに、外部と通信させるためのコンピュータプログラムであって、
コンピュータに、会議の参加者を識別する識別情報及び提案情報を受信させるステップと、
コンピュータに、受信された提案情報を、受信された識別情報に関連付けて記憶手段に記憶させるステップと、
コンピュータに、会議の参加者を識別する識別情報、及び前記記憶手段に記憶された提案情報に対応する意見情報を受信させるステップと、
コンピュータに、受信された意見情報を、前記提案情報及び受信された識別情報に関連付けて記憶手段に記憶させるステップと、
コンピュータに、記憶された提案情報又は意見情報を外部へ送信させるステップと、
コンピュータに、会議の参加者を識別する識別情報、及び前記記憶手段に記憶された提案情報に対応する賛成又は反対を示す賛成情報又は反対情報を受信させるステップと、
コンピュータに、受信された賛成情報又は反対情報の数を集計させるステップと、
コンピュータに、受信された提案情報、意見情報、賛成情報又は反対情報を数値化させるステップとを実行させることを特徴とするコンピュータプログラム。
【発明の詳細な説明】
【０００１】
【発明の属する技術分野】
本発明は、中央装置及び該中央装置と通信する端末装置を用いて会議を行なう会議方法、会議システム、情報処理装置、並びにコンピュータプログラムに関する。
【０００２】
【従来の技術】
一般に、会議を行なう場合、会議の参加者は、議題についての提案を行ない、行なわれた提案に対する意見、又は該意見に対する意見等を述べ合って討論し、採決を行なう。このような会議を、中央装置（サーバコンピュータ）及び該中央装置と通信する端末装置（パーソナルコンピュータ又は携帯電話機等）を用いてオンラインで行なう場合、電子掲示板システム（ＢＢＳ）を用いることが考えられる（例えば、非特許文献１参照）。
【０００３】
各参加者は、端末装置を用いて、文字情報若しくは画像情報等を用いてなる提案情報又は意見情報（以下、発言情報という）を中央装置へ送信し、中央装置は、受信した発言情報を端末装置へ送信する。各参加者は、端末装置に表示された発言情報を参照し、必要に応じて更に発言情報を中央装置へ送信する。
ＢＢＳを用いる場合、各参加者が、同じ時間に、同じ場所に集まる必要がないため、各参加者が、いつでも好きなときに会議に参加できるという利点がある。また、既に送受信された発言情報がＢＢＳに過去ログとして所定期間（又は所定のデータ量）だけ記憶されるため、改めて議事録を作成する必要がなく、更に、各参加者が、過去の発言情報を容易に参照することができる。
【０００４】
【非特許文献１】
“２ちゃんねる”、［ｏｎｌｉｎｅ］、［平成１５年１月１７日検索］、インターネット＜ＵＲＬ：ｈｔｔｐ：／／ｗｗｗ．２ｃｈ．ｎｅｔ＞
【０００５】
【発明が解決しようとする課題】
テレビ電話を用いた会議のように、参加者同士が直接的に討論する場合は、他の参加者の発言を聞いているだけの消極的な参加者に対して会議の議事進行役が発言を促したり、採決において賛成、反対、又は中立の意思表示を行なわせたりすることができる。しかしながら、ＢＢＳを用いた会議では、参加者同士が直接的に討論しないため、他の参加者の発言情報を読んでいるだけで発言も採決における意思表示もしない参加者は、会議の議事進行役又は他の参加者にとって、会議に参加していない者に等しい。このため、ＢＢＳを用いた会議では、積極的な参加者が少ない場合、会議の実効性が低下する。
以上のようなことから、各参加者を、積極的な発言又は意思表示に誘引する方法が求められている。
【０００６】
本発明は斯かる事情に鑑みてなされたものであり、中央装置が、受信した提案情報、意見情報、賛成情報又は反対情報を数値化することにより、参加者の積極的な討論及び採決における意思表示を促進できる会議方法、会議システム、該会議システムを構成する中央装置として用いられる情報処理装置、及びコンピュータを前記情報処理装置として用いるためのコンピュータプログラムを提供することを目的とする。
【０００７】
【課題を解決するための手段】
第１発明に係る会議方法は、記憶手段を有する中央装置と、該中央装置と通信する１又は複数の端末装置とを用いる会議方法であって、一の端末装置が、会議の参加者を識別する識別情報、及び提案情報又は意見情報を中央装置へ送信し、該中央装置は、受信した提案情報又は意見情報を、受信した識別情報に関連付けて記憶手段に記憶し、記憶された提案情報又は意見情報を、前記一の端末装置及び／又は他の端末装置へ送信し、前記一の端末装置、又は他の端末装置は、会議の参加者を識別する識別情報、及び受信した提案情報に対応する賛成又は反対を示す賛成情報又は反対情報を前記中央装置へ送信し、該中央装置は、受信した賛成情報又は反対情報の数を集計し、受信した提案情報、意見情報、賛成情報又は反対情報を数値化することを特徴とする。
【０００８】
第２発明に係る会議システムは、記憶手段を有する中央装置と、該中央装置と通信する１又は複数の端末装置とを備える会議システムであって、前記中央装置は、会議の参加者を識別する識別情報、及び提案情報又は意見情報を受信する手段と、受信した提案情報又は意見情報を、受信した識別情報に関連付けて記憶手段に記憶する手段と、記憶された提案情報又は意見情報を、前記端末装置へ送信する手段と、会議の参加者を識別する識別情報、及び前記記憶手段に記憶された提案情報に対応する賛成又は反対を示す賛成情報又は反対情報を受信する手段と、受信した賛成情報又は反対情報の数を集計する手段と、受信した提案情報、意見情報、賛成情報又は反対情報を数値化する手段とを備え、前記端末装置は、会議の参加者を識別する識別情報、及び提案情報又は意見情報を前記中央装置へ送信する手段と、提案情報又は意見情報を受信する手段と、会議の参加者を識別する識別情報、及び受信した提案情報に対応する賛成又は反対を示す賛成情報又は反対情報を前記中央装置へ送信する手段とを備えることを特徴とする。
【０００９】
第３発明に係る情報処理装置は、記憶手段を備える情報処理装置であって、会議の参加者を識別する識別情報及び提案情報を受信する手段と、受信した提案情報を、受信した識別情報に関連付けて記憶手段に記憶する手段と、会議の参加者を識別する識別情報、及び前記記憶手段に記憶された提案情報に対応する意見情報を受信する手段と、受信した意見情報を、前記提案情報及び受信した識別情報に関連付けて記憶手段に記憶する手段と、記憶された提案情報又は意見情報を外部へ送信する手段と、会議の参加者を識別する識別情報、及び前記記憶手段に記憶された提案情報に対応する賛成又は反対を示す賛成情報又は反対情報を受信する手段と、受信した賛成情報又は反対情報の数を集計する手段と、受信した提案情報、意見情報、賛成情報又は反対情報を数値化する数値化手段とを備えることを特徴とする。
【００１０】
第４発明に係る情報処理装置は、前記数値化手段は、受信した提案情報、意見情報、賛成情報又は反対情報の数及び所定の係数の積を算出するよう構成してあることを特徴とする。
【００１１】
第１発明、第２発明、第３発明、及び第４発明にあっては、例えば、会議の参加者が、端末装置を用いて、議題についての提案を示す提案情報と、該参加者に固有の識別情報とを入力する。端末装置は、提案情報と識別情報とを、情報処理装置を用いてなる中央装置へ送信し、中央装置は、受信した提案情報を、受信した識別情報に関連付けて記憶手段に記憶し、記憶された提案情報を前記端末装置及び／又は他の端末装置へ送信する。この場合、各参加者は、端末装置に表示された提案情報を視認することによって、該参加者又は他の参加者による提案を参照する。
【００１２】
また、各参加者は、端末装置を用いて、既に為された提案に対する意見を示す意見情報、即ち、中央装置の記憶手段に記憶されている提案情報に対応する意見情報と、該参加者に固有の識別情報とを入力する。端末装置は、意見情報と識別情報とを中央装置へ送信し、中央装置は、受信した意見情報を、前記提案情報と受信した識別情報とに関連付けて記憶手段に記憶し、記憶された意見情報を前記端末装置及び／又は他の端末装置へ送信する。この場合、各参加者は、端末装置に表示された意見情報を視認することによって、該参加者又は他の参加者による意見を参照する。このとき、意見情報が、該意見情報に対応する提案情報に関係付けられているため、参加者は、どの提案情報に対する意見情報かを容易に確認する。
【００１３】
更に、各参加者は、端末装置を用いて、既に為された提案の採決を行なう投票をするための投票情報、即ち、中央装置の記憶手段に記憶されている提案情報に対応する賛否を示す賛成情報又は反対情報と、該参加者に固有の識別情報とを入力する。端末装置は、賛成情報又は反対情報と識別情報とを中央装置へ送信し、中央装置は、受信した賛成情報又は反対情報の数を集計する。
この場合、中央装置が、集計結果を、前記提案情報に関連付けて記憶手段に記憶し、記憶された集計結果を前記端末装置及び／又は他の端末装置へ送信するとき、各参加者は、端末装置に表示された集計結果を視認することによって、該参加者又は他の参加者による投票の結果を参照する。また、この結果を用いて、会議の参加者（又は会議の議事進行役）は、提案の採否を決する。
【００１４】
以上のようにして会議を行なう傍ら、中央装置は、受信した提案情報、意見情報、賛成情報又は反対情報を数値化する。この場合、例えば、予め記憶手段に１又は複数の係数を記憶させておき、受信した提案情報、意見情報、賛成情報又は反対情報の数と、記憶手段に記憶されている係数との積を算出し、算出結果を点数情報とする。又は、受信した提案情報、意見情報、賛成情報又は反対情報に関するデータ量若しくは送信時刻等の情報、又は送信者の年齢若しくは性別等の属性に応じた数値を点数情報としたり、ランダムな数値を点数情報としたりする。
【００１５】
このような点数情報を、提案情報、意見情報、賛成情報又は反対情報を送信した参加者（即ち提案情報、意見情報、賛成情報又は反対情報を入力した参加者）に与えられる点数として用い、１回の得点、又は累積された得点の多寡に応じて参加者に特典を与えたり、前記得点の多寡を参加者同士で競わせ、勝者に特典を与えたりする。この場合、参加者は、提案情報、意見情報、賛成情報又は反対情報を入力することによって、即ち、会議において積極的に、提案を行ない、提案に対する意見を述べ、提案の採決を行なう投票に参加することによって、高い点数又は多くの点数を得る楽しみ、又は、特典を得る楽しみを享受する。
【００１６】
第５発明に係る情報処理装置は、前記記憶手段に記憶された一の提案情報に関連付けて記憶された意見情報、賛成情報、又は反対情報の数を計数する手段と、計数結果が所定数以上である場合に、前記提案情報に関連付けて、計数結果が所定数以上であることを示す情報を記憶手段に記憶する手段と、記憶された情報を外部へ送信する手段とを備えることを特徴とする。
【００１７】
第５発明にあっては、中央装置として用いられている情報処理装置が、記憶手段に記憶された一の提案情報に関連付けて記憶された意見情報、賛成情報、又は反対情報の数を計数する。
提案情報に対する意見情報（又は該意見情報に対する意見情報）が所定数以上である場合、このような提案情報に対して、活発な討論が行なわれていると考えられる。また、提案情報に対する賛成情報、又は反対情報が所定数以上である場合、このような提案情報に対して多数の参加者が関心を持っていると考えられる。
【００１８】
情報処理装置は、このような提案情報に関連付けて、計数結果が所定数以上であることを示す情報を記憶手段に記憶し、また、前記情報に関連付けて記憶されている提案情報を端末装置へ送信する場合に、活発な討論が行なわれていることを報知する情報、又は、多数の参加者が関心を持っていることを報知する情報等（即ち、計数結果が所定数以上であることを示す情報）も同時的に送信する。このような情報を確認した参加者は、活発な討論が行なわれている提案情報、又は多数の参加者が関心を持っている提案情報に対して興味を覚える、このため、そのような提案情報に対する意見情報を入力したり賛成情報又は反対情報を入力したりする行動が誘発される。
【００１９】
第６発明に係る情報処理装置は、会議の参加者を識別する識別情報、及び前記記憶手段に記憶された意見情報に対応する追加意見情報を受信する手段と、受信した追加意見情報を、前記記憶手段に記憶された意見情報及び受信した識別情報に関連付けて記憶手段に記憶する手段とを備えることを特徴とする。
【００２０】
第６発明にあっては、各参加者は、端末装置を用いて、既に為された意見に対する意見を示す意見情報、即ち、中央装置として用いられている情報処理装置の記憶手段に記憶されている意見情報に対応する意見情報（即ち追加意見情報）と、該参加者に固有の識別情報とを入力する。端末装置は、追加意見情報と識別情報とを情報処理装置へ送信し、情報処理装置は、受信した追加意見情報を、前記記憶手段に記憶されている意見情報と受信した識別情報とに関連付けて記憶手段に記憶し、記憶された追加意見情報を前記端末装置及び／又は他の端末装置へ送信する。この場合、各参加者は、端末装置に表示された追加意見情報を視認することによって、該参加者又は他の参加者による意見を参照する。このとき、追加意見情報が、該追加意見情報に対応する意見情報に関係付けられているため、参加者は、どの意見情報に対する追加意見情報かを容易に確認する。
【００２１】
以上のようにして会議を行なう傍ら、情報処理装置は、受信した追加意見情報を数値化する。
数値化された追加意見情報を、追加意見情報を入力した参加者に与える点数として扱う場合、参加者は、会議において積極的に、他人の意見に対する意見（又は自分の意見に対する補足的意見等）を述べることによって、高い点数又は多くの点数を得る楽しみを享受する。
【００２２】
第７発明に係る情報処理装置は、受信した意見情報、追加意見情報、賛成情報又は反対情報を数値化して、前記意見情報、前記賛成情報若しくは前記反対情報が対応している提案情報、又は、前記追加意見情報が対応している意見情報に関連付けて記憶されている識別情報に関連付けて記憶手段に記憶する手段を更に備えることを特徴とする。
【００２３】
第７発明にあっては、中央装置として用いられている情報処理装置が、受信した意見情報、追加意見情報、賛成情報又は反対情報を数値化して、受信した識別情報のみならず、前記追加意見情報が対応している意見情報、又は、前記意見情報、前記賛成情報若しくは前記反対情報が対応している提案情報に関連付けて記憶されている識別情報に関連付けて記憶手段に記憶する。
【００２４】
この場合、数値化された各情報を、参加者に与える点数として扱うとき、追加意見情報の入力による点数は、その追加意見情報を入力した参加者と、その追加意見情報の元となる提案情報又は意見情報を入力した参加者とに、同じ点数（又は異なる点数）が夫々与えられる。また、意見情報、賛成情報又は反対情報による点数は、その意見情報、賛成情報又は反対情報を入力した参加者と、その賛成情報又は反対情報の元となる提案情報を入力した参加者とに、同じ点数（又は異なる点数）が夫々与えられる。
以上のような場合、参加者は、他の参加者の積極的な参加を誘引するような提案情報、又は意見情報を入力し、他の参加者から多数の意見情報、追加意見情報、賛成情報又は反対情報を入力されることによって、高い点数又は多くの点数を取得する楽しみを享受する。
【００２５】
第８発明に係るコンピュータプログラムは、記憶手段を備えるコンピュータに、外部と通信させるためのコンピュータプログラムであって、コンピュータに、会議の参加者を識別する識別情報及び提案情報を受信させるステップと、コンピュータに、受信された提案情報を、受信された識別情報に関連付けて記憶手段に記憶させるステップと、コンピュータに、会議の参加者を識別する識別情報、及び前記記憶手段に記憶された提案情報に対応する意見情報を受信させるステップと、コンピュータに、受信された意見情報を、前記提案情報及び受信された識別情報に関連付けて記憶手段に記憶させるステップと、コンピュータに、記憶された提案情報又は意見情報を外部へ送信させるステップと、コンピュータに、会議の参加者を識別する識別情報、及び前記記憶手段に記憶された提案情報に対応する賛成又は反対を示す賛成情報又は反対情報を受信させるステップと、コンピュータに、受信された賛成情報又は反対情報の数を集計させるステップと、コンピュータに、受信された提案情報、意見情報、賛成情報又は反対情報を数値化させるステップとを実行させることを特徴とする。
【００２６】
第８発明にあっては、コンピュータプログラムが、可搬性を有する記録媒体に記憶されて配布されたり、通信回線を介して配信されたり、コンピュータを用いてなる情報処理装置が備える記憶手段（例えばＲＯＭ）に予め格納してあったりする。コンピュータプログラムは、記憶手段（ＲＡＭ又はハードディスク等）にインストールされてから実行されても良く、記録媒体又は配信元から読み取られて直接的に実行されても良い。
このようなコンピュータプログラムは、会議の参加者を識別する識別情報及び提案情報を受信する手段、並びに、受信した提案情報を、受信した識別情報に関連付けて記憶手段に記憶する手段等を、情報処理装置のハードウェア要素を用いてソフトウェア的に実現し、該情報処理装置を、前記会議システムを構成する中央装置として機能させる。
【００２７】
【発明の実施の形態】
以下、本発明をその実施の形態を示す図面に基づいて詳述する。
本実施の形態においては、情報処理装置としてサーバコンピュータを例示し、端末装置としてパーソナルコンピュータを例示し、情報処理装置を中央装置として用い、該中央装置と端末装置とがインターネットを介して通信を行なう場合を例示するが、これらに限定されるものではない。
また、本実施の形態においては、会議システムのユーザ（会議の参加者）夫々に、会議の参加者を識別する識別情報として、予め固有のユーザＩＤとパスワードとが発行されている場合を例示する。
更に、本実施の形態においては、所定の土地に新たな町を創るべく、どのような建造物を、どこに創るかを討論するための会議を行なう場合を例示する。会議の参加者は、主にその町の住人となる予定の者である。
【００２８】
図１は、本発明に係る会議システムの構成を示す説明図であり、該会議システムを構成している端末装置２のブロック図を含んでいる。
インターネットＮには、中央装置１と、端末装置２，２，…とが接続されており、各端末装置２と中央装置１とはインターネットＮを介して各種データの送受信を行なう。各端末装置２には、ウェブページを閲覧するためのブラウザがインストールされている。
【００２９】
図中２０は、端末装置２の制御中枢であるＣＰＵであり、ＣＰＵ２０は、ＣＲＴ又は液晶ディスプレイ等を用いてなる表示部２４、及び、キーボード及びマウス等を用いてなる操作部２５等の装置各部に、バスを介して接続されている。ＣＰＵ２０は、ハードディスクを用いてなる補助記憶部２６又はＲＯＭ２１に記憶されたコンピュータプログラム（例えばブラウザ）に従って、装置各部を制御し、このとき発生するデータをＲＡＭ２２に一時記憶して、各種処理を実行する。
参加者は、表示部２４を視認しつつ、表示部２４に表示されるマウスポインタ４（例えば図８参照）又はカーソル等を操作して、ウェブページ上で文字情報を記入したりクリック操作を行なったりするために操作部２５を用いる。
【００３０】
外部記憶部２３は、例えばＣＤ−ＲＯＭドライブであり、ＣＰＵ２０に制御されて、ＣＤ−ＲＯＭのような可搬性を有する記録媒体から情報を読み込んで、補助記憶部２６に記憶させる。
ネットワークＩ／Ｆ２７は、端末装置２とインターネットＮとを、例えば通信ケーブルを介して接続するインターフェイスであり、ＣＰＵ２０は、ネットワークＩ／Ｆ２７を介して情報を送受信する。
【００３１】
図２は、本発明に係る会議システムを構成する中央装置１のブロック図である。
図中１０は、中央装置１の制御中枢であるＣＰＵであり、ＣＰＵ１０は、ＲＯＭ１１及びＲＡＭ１２等の装置各部に、バスを介して接続されている。ＣＰＵ１０は、ハードディスクを用いてなる補助記憶部１４又はＲＯＭ１１に記憶されたコンピュータプログラムに従って、装置各部を制御し、このとき発生するデータをＲＡＭ１２に一時記憶して、各種処理を実行する。
ネットワークＩ／Ｆ１３は、中央装置１とインターネットＮとを、例えば通信ケーブルを介して接続するインターフェイスであり、ＣＰＵ１０は、ネットワークＩ／Ｆ１３を介して情報を送受信する。
【００３２】
補助記憶部１４には、本実施の形態のコンピュータプログラム、該コンピュータプログラムを実行する際に用いるデータ、及びポイントテーブル１４ａ（図４参照）が記憶されている。また、補助記憶部１４には、図８〜図１５に示すようなウェブページのウェブページデータの元となる元データが記憶されている。また、参加者データベース１５（図３参照）、投票データベース１６（図５参照）、発言関係データベース１７（図６参照）、又は発言内容データベース１８（図７参照）は、例えばハードディスクを用いてなる記憶装置に所定の情報を夫々記録してなる。ＣＰＵ１０は、一のウェブページデータを要求する要求情報を受信した場合、該要求情報に対応する元データを補助記憶部１４から読み出し、また、ポイントテーブル１４ａ又は所定のデータベース等から必要な情報を読み出して、読み出した元データと情報とを用いてウェブページデータを生成する。
【００３３】
なお、本実施の形態においては、本実施の形態のコンピュータプログラムをインストールされているサーバに各データベースが内蔵されている中央装置１を例示しているが、本実施の形態のコンピュータプログラムをインストールされているサーバと、各データベースを内蔵するデータベースサーバとを用いて中央装置１を構成しても良い。また、各データベースは、１個の記憶装置（例えば補助記憶部１４）内に設けても良く、複数の記憶装置内に夫々設けても良い。
【００３４】
本実施の形態のコンピュータプログラム、該コンピュータプログラムを実行する際に用いるデータ、ポイントテーブル１４ａに記憶しておくべきデータ、及び各データベースに予め記憶しておくべきデータ等は、例えばネットワークＩ／Ｆ１３を介して受信し、補助記憶部１４又は各データベースに記憶するよう構成してあっても良い。また、中央装置１がＣＤ−ＲＯＭドライブを用いてなる外部記憶部を備える場合、前記コンピュータプログラム及び／又は各種データが記録されているＣＤ−ＲＯＭから読み込んで、補助記憶部１４又は各データベースに記憶するよう構成してあっても良い。更に、中央装置１がＣＲＴ又は液晶ディスプレイ等を用いてなる表示部並びにキーボード及びマウス等を用いてなる操作部を備える場合、中央装置１の管理者が、表示部を見ながら操作部を用いて各種データを入力し、入力されたデータを中央装置１が補助記憶部１４又は各データベースに記憶するよう構成してあっても良い。
【００３５】
図３は、中央装置１が備える参加者データベース１５に記憶されている情報の一例を示す模式図である。
参加者データベース１５には、ユーザ名、ユーザＩＤ、パスワード、セッションＩＤ、提案Ｎｏ．、提案回数、能動意見、意見回数、受動意見、意見数、及びポイント合計等が記憶されている。
ユーザ名は、会議の参加者の名前であり、ユーザ名に関連付けて記憶されているユーザＩＤ及びパスワードは、各参加者が会議システムにログインする場合に用いる識別情報である。参加者は、端末装置２にインストールされているブラウザによって表示部２４に表示されるログインページ４１（図８参照）を視認しながら、操作部２５を用いて、ユーザＩＤ及びパスワードを入力する。
【００３６】
セッションＩＤは、参加者が端末装置２を用いてログインした場合に中央装置１が発行する識別情報であり、参加者のユーザＩＤに関連付けて記憶され、参加者がログアウトするまで、端末装置２と中央装置１との間でユーザＩＤ及びパスワードの代わりに用いられる。このため、参加者は、提案情報又は意見情報等を入力する度にユーザＩＤ及びパスワードを入力する必要がない。セッションＩＤは、ログインしていない参加者に対しては発行されず、空欄となる。
提案Ｎｏ．は、中央装置１が受信した提案情報に、順に割り振られる番号であり、各参加者が入力した提案情報の提案Ｎｏ．は、参加者のユーザＩＤに関連付けて記憶されている。提案回数は、各参加者が入力した提案情報の数（各参加者が提案情報を入力した回数）である。提案情報を入力していない参加者の提案Ｎｏ．は空欄となる。
【００３７】
意見Ｎｏ．は、中央装置１が受信した意見情報に、順に割り振られる番号である。能動意見は、各参加者が入力した意見情報の意見Ｎｏ．であり、受動意見は、各参加者が入力した提案情報又は意見情報に対し、他の参加者が入力した意見情報の意見Ｎｏ．であり、参加者のユーザＩＤに関連付けて夫々記憶されている。意見回数は、各参加者が入力した意見情報の個数（各参加者が意見情報を入力した回数）であり、意見数は、各参加者が入力した提案情報又は意見情報に対し、他の参加者が入力した意見情報の個数（他の参加者が意見情報を入力した回数）である。意見情報を入力していない参加者の能動意見は空欄となり、また、参加者の提案情報又は意見情報に対して他の参加者が意見情報を入力していない場合の受動意見は空欄となる。
提案情報及び意見情報の実体は発言内容データベース１８（図７参照）に記憶されている。
【００３８】
ポイント合計は、各参加者に与えられた点数の合計である。
中央装置１のＣＰＵ１０は、発言情報（提案情報若しくは意見情報）又は投票情報（提案に賛成することを示す賛成情報、提案に反対することを示す反対情報、若しくは提案に賛成も反対もしないことを示す中立情報）を受信した場合、受信した発言情報又は投票情報を数値化する。本実施の形態においては、参加者が発言情報又は投票情報を入力した場合に、各情報の入力１回につき、図４に示すポイントテーブル１４ａに記憶されている所定の点数が参加者に与えられる。
なお、提案回数、意見回数、意見数、及びポイント合計には、初期値として、０が記憶してある。
【００３９】
図４は、中央装置１が備える補助記憶部１４に記憶されているポイントテーブル１４ａの一例を示す模式図である。
ポイントテーブル１４ａには、発言情報及び投票情報の種類に関連付けて、ポイント係数が記憶してある。
【００４０】
ポイント係数は、発言情報又は投票情報の入力１回につき参加者に与えられる点数を示しており、その情報を入力する場合に参加者の努力を必要とする情報、又は参加者に積極的に入力して欲しい情報等に対応するポイント係数が、高めになるよう設定してある。例えば、新たな提案を考え出すことは、他人の提案又は意見に対する意見を述べるより努力が必要であると考えられるため、提案情報の入力に対しては意見情報（１００ポイント）より多い２００ポイントが与えられるよう設定してある。また、賛否の意思表示である賛成情報及び反対情報の入力に対して与えられる点数は５０ポイントであるが、賛否の意思表示がはっきりしない中立情報に与えられる点数は、５０ポイントよりも少ない３０ポイントに設定してある。
【００４１】
即ち、提案（提案情報）のポイント係数と参加者データベース１５に記憶された提案回数との積、能動意見（参加者が入力した意見情報）のポイント係数と参加者データベース１５に記憶された意見回数との積、受動意見（他の参加者が入力した意見情報）のポイント係数と参加者データベース１５に記憶された意見数との積、並びに、賛成、反対、及び中立（参加者が入力した賛成情報、反対情報、及び中立情報）のポイント係数と投票データベース１６（図５参照）に記憶された賛成回数、反対回数、及び中立回数との積を加算した合計が、参加者データベース１５のポイント合計の欄の値となる。
【００４２】
なお、可決された提案情報（即ち、多くの賛同を得た良い提案）を入力した参加者に、更にポイントを与えたり、所定数以上の投票数又は受動意見の意見数を得た提案情報又は意見情報（即ち、積極的な投票又は活発な討論を誘引した発言情報）のポイント係数が、より高い値になったりするよう設定しても良い。また、所定の期間毎にポイント係数の値を変更しても良い。また、提案情報又は意見情報のデータ量に対応してポイント係数が変化するよう構成しても良い。また、ランダムでポイント係数が設定されるよう構成しても良い。
【００４３】
図５は、中央装置１が備える投票データベース１６に記憶されている情報の一例を示す模式図である。
投票データベース１６には、各参加者のユーザＩＤに関連付けて、投票情報に関するデータ（賛成提案、賛成回数、反対提案、反対回数、中立提案、及び中立回数等）が記憶されている。
参加者は、端末装置２の表示部２４に表示される提案・投票ページ４５（図１２参照）を視認しながら、操作部２５を用いて、賛成情報、反対情報、又は中立情報を入力するためのボタン（賛成ボタン４５１、反対ボタン４５２、又は中立ボタン４５３）を操作する。
【００４４】
投票データベース１６の賛成提案、反対提案、及び中立提案は、夫々参加者が賛成情報、反対情報、及び中立情報を入力した提案情報の提案Ｎｏ．であり、賛成回数、反対回数、及び中立回数は、夫々参加者が賛成情報、反対情報、及び中立情報を入力した回数（即ち賛成提案、反対提案、及び中立提案夫々の個数）である。賛成回数、反対回数、及び中立回数には、初期値として、０が記憶してある。
なお、投票データベース１６には、各参加者のユーザＩＤに関連付けて、投票情報を入力した提案情報の提案Ｎｏ．が記憶されている。このため、同一の提案情報に対する投票情報の入力を１回（又は所定回数以下）に限定しても良いが、以下では、投票情報の入力回数を限定しない場合を例示する。
【００４５】
図６は、中央装置１が備える発言関係データベース１７に記憶されている情報の一例を示す模式図である。
発言関係データベース１７には、発言内容データベース１８（図７参照）に記憶してある提案情報の提案Ｎｏ．に関連付けて、該提案情報に対し直接的に意見している意見情報（以下、第１意見という）の意見Ｎｏ．と、第１意見に対し直接的に意見している意見情報（以下、第２意見という）の意見Ｎｏ．と、第２意見に対し直接的に意見している意見情報（第３意見）の意見Ｎｏ．と、…、前記提案情報に対応して受信した意見情報（第１意見、第２意見、第３意見、…）の個数である総意見数とが記憶されている。
この場合、第２意見情報、第３意見情報、…は、追加意見情報である。
【００４６】
また、前記提案情報の提案Ｎｏ．に関連付けて、該提案情報に対する得票数である賛成数、反対数、及び中立数（賛成情報、反対情報、及び中立情報の個数）が記憶されている。
総意見数、及び各得票数には、初期値として、０が記憶してある。
更に、前記提案情報の提案Ｎｏ．に関連付けて、該提案情報に対する討論が活発に行なわれていたり、該提案情報に関心を持っている参加者が多かったりすることを示す情報（以下、討論情報という）、及び、前記提案情報が可決されたか否決されたかを示す情報（以下、可決情報又は否決情報という）が記憶されている。この場合、一の提案情報の提案Ｎｏ．に関連付けて記憶された意見情報、賛成情報、又は反対情報の個数が所定数以上である場合に、前記提案Ｎｏ．に関連付けて、討論情報、可決情報、又は否決情報が記憶される。
【００４７】
本実施の形態においては、一の提案情報に対して総意見数が所定数（例えば１０）以上である場合、即ち活発な討論が行なわれていると考えられる場合、又は、賛成数又は反対数が所定数（例えば１０）以上である場合、即ち多数の参加者が関心を持っていると考えられる場合に、討論欄に討論中という討論情報が記憶される。また、一の提案情報に対して賛成数又は反対数が、登録されている参加者の人数（参加者データベース１５に記憶されているユーザＩＤの個数。例えば５０）の半数以上（この場合２５以上）である場合に、決定欄に可決又は否決という可決情報又は否決情報が記憶される。
即ち、討論情報、可決情報、及び否決情報は、一の提案情報に関連付けて記憶された意見情報、賛成情報、又は反対情報の数を計数した計数結果が所定数以上であることを示す情報である。
【００４８】
討論欄に討論情報が記憶されている提案情報に対しては、図１１に示すような提案リストページ４４に表示されている提案情報（提案情報のタイトル）に、活発な討論が行なわれていることを示す「討論中」マークが表示される。
また、決定欄に可決情報又は否決情報が記憶されている提案情報に対しては、提案リストページ４４に表示されている提案情報に、提案が可決又は否決されて討論が終了していることを示す「決定」マークが表示される。この場合、既に入力されている提案情報及び意見情報、並びに集計結果の表示は為されるが、意見情報及び投票情報の入力を受け付けないようにされる。
【００４９】
図７は、中央装置１が備える発言内容データベース１８に記憶されている情報の一例を示す模式図である。
発言内容データベース１８では、提案Ｎｏ．に関連付けて、提案情報が記憶されており、提案情報は、提案の内容のタイトルである提案タイトル、該提案情報を入力した参加者のユーザ名である投稿者名、入力した日時である投稿日時、及び提案の内容等である（図７（ａ））。
また、発言内容データベース１８では、意見Ｎｏ．に関連付けて、意見情報が記憶されており、意見情報は、意見の内容のタイトルである意見タイトル、該意見情報の投稿者名、投稿日時、及び意見の内容等である。更に、意見Ｎｏ．に関連付けて、提案に対する賛否も記憶される（図７（ｂ））。
【００５０】
本実施の形態においては、既存の提案情報又は既存の意見情報（即ち発言内容データベース１８に記憶されている発言情報）に対して直接的に意見情報を入力する（図１２及び図１５参照）だけでなく、投票情報に対応させて意見情報を入力する（図１３参照）ことも可能である。このため、提案に対する賛否の欄には、意見情報に対応させて賛成情報が入力されたか、反対情報が入力されたか、又は中立情報が入力されたかを示す情報が、記憶される。また、投票情報に対応した意見情報ではない場合、賛否の欄は空欄となる。
なお、本実施の形態においては、参加者は提案情報又は意見情報の入力する場合に投稿者名を入力せず（例えば図１０参照）、中央装置１がユーザ名を投稿者名として用いるが、参加者が投稿者名（例えばユーザ名とは異なる名前）を入力するよう構成しても良い。
【００５１】
図８〜図１５は、端末装置２が備える表示部２４に表示されるウェブページの一例を示す模式図であり、図８は、ログインページ４１を示している。
ログインページ４１は、会議の参加者が、会議システムにログインすべく、端末装置２にインストールされているブラウザを用い、所定のＵＲＬを入力したり、他のウェブページにて所定の選択操作を行なったりすることによって、表示部２４に表示されるウェブページであり、参加者がユーザＩＤ及びパスワードを記入するためのテキストボックス４１１，４１２と、テキストボックス４１１，４１２に記入したユーザＩＤ及びパスワードを入力するためのＯＫボタン４１３とを備える。
【００５２】
参加者は、操作部２５を用いてテキストボックス４１１にユーザＩＤを記入し、テキストボックス４１２にパスワードを記入して、マウスポインタ４によってＯＫボタン４１３をクリック操作することによって、会議システムにログインする。
【００５３】
図９は、表示部２４に表示されるトップページ４２を示している。
トップページ４２は、会議の参加者が会議システムにログインした直後に、表示部２４に表示されるウェブページであり、その上部の、参加者が視認しやすい位置に、参加者データベース１５に記憶されている参加者のユーザ名とポイント合計の数値とが表示され、また、下部に、新たなウェブページデータを要求する要求情報を有するハイパーテキスト４２１，４２２を備える。
本実施の形態においては、参加者が得た点数は、ポイント合計としてのみ表示されるが、一の参加者（自分）が何の情報を何回入力することによって何点獲得したかを表示したり、他の参加者（他人）のユーザ名と、該他の参加者が一の参加者のどの発言情報に対し意見情報を入力したことによって一の参加者が何点獲得したかとを表示したりするよう構成しても良い。
【００５４】
参加者は、発言内容データベース１８に記憶されている提案情報又は意見情報に対する意見情報を入力したり、前記提案情報に対して投票情報を入力したりする場合にハイパーテキスト４２１をマウスポインタ４でクリック操作する。このとき、表示部２４に提案リストページ４４（図１１参照）が表示される。
また、参加者は、新たな提案情報を入力する場合にハイパーテキスト４２２をマウスポインタ４でクリック操作する。このとき、表示部２４に新規提案ページ４３（図１０参照）が表示される。
【００５５】
図１０は、表示部２４に表示される新規提案ページ４３を示している。
新規提案ページ４３は、参加者が、新規の提案情報を入力すべく、提案タイトル及び提案内容を記入するためのテキストボックス４３１，４３２と、テキストボックス４３１，４３２に記入した提案タイトル及び提案内容を入力するための投稿ボタン４３３とを備える。
参加者は、操作部２５を用いてテキストボックス４３１に提案タイトルを記入し、テキストボックス４３２に提案内容を記入して、投稿ボタン４３３をクリック操作することによって、新規の提案情報を入力する。この後、表示部２４にはトップページ４２が再び表示されるが、このとき表示されるトップページ４２には、提案情報の入力によって所定の点数が加算されたポイント合計の数値が表示される。
【００５６】
図１１は、表示部２４に表示される提案リストページ４４を示している。
提案リストページ４４には、既存の提案、即ち発言内容データベース１８に記憶されている提案情報の提案タイトルがハイパーテキスト４４１，４４１，…として表示されており、各提案タイトルに関連付けて、該提案タイトルを有する提案情報に対する意見情報（第１意見、第２意見、…）の総意見数と投稿日時等（即ち発言関係データベース１７に記憶されている総意見数と発言内容データベース１８に記憶されている投稿日時）とが提案リストとして表示されている。各ハイパーテキスト４４１は、提案情報の提案Ｎｏ．を用いてなり前記提案情報を表示するウェブページデータを要求する要求情報を有する。
【００５７】
また、前記提案タイトルの一又は複数に関連付けて、「討論中」マーク、又は「決定」マークが表示されている。「討論中」マークが表示される提案情報は、発言関係データベース１７にて討論情報が記憶されている提案情報であり、「決定」マークが表示される提案情報は、発言関係データベース１７にて討論情報と可決情報又は否決情報とが記憶されている提案情報である。
更に、提案リストには、提案リストを新着順、タイトル順、総意見数順、又は投稿者名等にソートすべく、ソート順を指定するためのプルダウンメニュー４４２が設けられている。プルダウンメニュー４４２の各メニューは、該メニューに対応する順番で提案リストを表示するウェブページデータを要求する要求情報を有する。
【００５８】
また、提案リストページ４４には、集計結果を見るためのハイパーテキスト４４３が備えられている。
参加者は、マウスポインタ４でプルダウンメニュー４４２の所要のメニューを選択することによって、提案リストを見易いようにソートする。
また、参加者は、所要の提案タイトルを示しているハイパーテキスト４４１をクリック操作することによって前記提案タイトルを有する提案情報の内容を閲覧する。このとき、表示部２４には提案・投票ページ４５（図１２参照）が表示される。
【００５９】
更に、参加者は、ハイパーテキスト４４３をクリック操作することによって、集計結果を閲覧する。このとき、表示部２４には図示しない集計結果ページが表示される。
集計結果ページには、例えば、投稿日時が新しい提案情報、又は総意見数が多い提案情報等の集計結果（即ち賛成数、反対数、及び中立数）が表示され、参加者が、現在どのような町になっているのかを大雑把に把握できるようになっている。なお、可決された提案情報の内容に基づいて、町の概略図が表示されるよう構成されていても良い。
集計結果ページは、トップページ４２に設けられているハイパーテキスト４２１，４２２と同様のハイパーテキストを備える。
【００６０】
図１２は、表示部２４に表示される提案・投票ページ４５を示している。
提案・投票ページ４５には、その上部に、夫々発言内容データベース１８に記憶されている提案情報の提案タイトル、投稿者名、及び提案内容が表示されている。
【００６１】
また、提案・投票ページ４５には、その中部に、賛成情報を入力するための賛成ボタン４５１、反対情報を入力するための反対ボタン４５２、及び中立情報を入力するための中立ボタン４５３が設けられ、各ボタンに夫々関連付けて、発言関係データベース１７に記憶されている投票情報の集計結果である得票数（賛成数、反対数、及び中立数）と、得票率（賛成数、反対数、及び中立数の総得票数（得票数の合計）に対するパーセンテージ）とが表示されている。
ただし、前記提案情報に関連付けて、発言関係データベース１７に、可決情報又は否決情報が記憶されている場合、賛成ボタン４５１、反対ボタン４５２、及び中立ボタン４５３は設けられず、賛成、反対、及び中立を示す文字情報が表示される。
【００６２】
更に、提案・投票ページ４５には、その下部に、参加者が、既存の意見、即ち前記提案情報に関連付けて発言内容データベース１８に記憶されている意見情報（第１意見、第２意見、…）を閲覧するためのハイパーテキスト４５４と、参加者が、前記提案情報に対する第１意見である意見情報を入力すべく、意見タイトル及び意見内容を記入するためのテキストボックス４５５，４５６と、テキストボックス４５５，４５６に記入した意見タイトル及び意見内容を入力するための投稿ボタン４５７とを備える。
ただし、前記提案情報に関連付けて、発言関係データベース１７に、可決情報又は否決情報が記憶されている場合、テキストボックス４５５，４５６と投稿ボタン４５７とは設けられない。
【００６３】
参加者は、賛成ボタン４５１、反対ボタン４５２、又は中立ボタン４５３をマウスポインタ４でクリック操作することによって賛成情報、反対情報、又は中立情報を入力する。このとき、表示部２４には投票後の意見入力ページ４６（図１３参照）が表示される。
また、参加者は、ハイパーテキスト４５４をマウスポインタ４でクリック操作することによって既存の意見を閲覧する。このとき、表示部２４には意見リストページ４７（図１４参照）が表示される。
【００６４】
更に、参加者は、操作部２５を用いてテキストボックス４５５に意見タイトルを記入し、テキストボックス４５６に意見内容を記入して、投稿ボタン４５７をクリック操作することによって、第１意見である意見情報を入力する。この後、表示部２４にはトップページ４２が再び表示されるが、このとき表示されるトップページ４２には、意見情報の入力によって所定の点数が加算されたポイント合計の数値が表示される。
【００６５】
図１３は、表示部２４に表示される投票後の意見入力ページ４６を示している。
投票後の意見入力ページ４６には、賛成情報（又は反対情報若しくは中立情報）が入力されたことを示す文字情報と、投票後の意見の入力を行なわない場合に操作するＯＫボタン４６１と、参加者が、提案情報に対する賛否の投票に対応させて、該提案情報に対する第１意見である意見情報を入力すべく、意見タイトル及び意見内容を記入するためのテキストボックス４６２，４６３と、テキストボックス４６２，４６３に記入した意見タイトル及び意見内容を入力するための投稿ボタン４６４とを備える。
ＯＫボタン４６１は、トップページ４２のウェブページデータを要求する要求情報を有する。
【００６６】
参加者は、前記文字情報の確認後、ＯＫボタン４６１をマウスポインタ４でクリック操作することによって、意見情報を入力することなしに投票後の意見入力ページ４６の表示を終了させる。この場合、表示部２４にはトップページ４２が再び表示されるが、このとき表示されるトップページ４２には、投票情報の入力によって所定の点数が加算されたポイント合計の数値が表示される。
更に、参加者は、操作部２５を用いてテキストボックス４６２に意見タイトルを記入し、テキストボックス４６３に意見内容を記入して、投稿ボタン４６４をクリック操作することによって、第１意見である意見情報を入力する。この後、表示部２４にはトップページ４２が再び表示されるが、このとき表示されるトップページ４２には、投票情報及び意見情報の入力によって所定の点数が加算されたポイント合計の数値が表示される。
【００６７】
図１４は、表示部２４に表示される意見リストページ４７を示している。
意見リストページ４７には、提案リストページ４４で選択され提案・投票ページ４５に表示された提案情報の提案タイトルが表示されている。また、前記提案情報に対する第１意見、第２意見、…の意見タイトルが、ハイパーテキスト４７１，４７１，…として、第１意見に関連付けて第２意見、第２意見に関連付けて第３意見、…というように表示されて意見リストを構成している。また、図示はしないが、意見タイトルに関連付けて、投稿日時及び投稿者名等も表示される。各ハイパーテキスト４７１は、意見情報の意見Ｎｏ．を用いてなり前記意見情報を表示するウェブページデータを要求する要求情報を有する。
【００６８】
また、賛成情報、反対情報、又は中立情報に対応させて入力された意見情報の意見タイトルには、夫々「賛成」マーク、「反対」マーク、又は「中立」マークが表示されている。このため、参加者は、各マークを視認することによって、賛成の立場の意見内容であるか、反対の立場の意見内容であるか、中立の立場の意見内容であるかを容易に知ることができる。
更に、意見リストには、意見リストを賛否別、タイトル順、又は投稿者別等にソートすべく、ソート順を指定するためのプルダウンメニュー４７２が設けられている。プルダウンメニュー４７２の各メニューは、該メニューに対応する順番で提案リストを表示するウェブページデータを要求する要求情報を有する。
【００６９】
また、意見リストページ４７には、参加者が意見情報を閲覧しない場合に操作するトップボタン４７３が設けられている。トップボタン４７３は、トップページ４２のウェブページデータを要求する要求情報を有する。
【００７０】
参加者は、マウスポインタ４でプルダウンメニュー４７２の所要のメニューを選択することによって、意見リストを見易いようにソートする。
また、参加者は、所要の意見タイトルを示しているハイパーテキスト４７１をクリック操作することによって前記意見タイトルを有する意見情報の内容を閲覧する。このとき、表示部２４には意見ページ４８（図１５参照）が表示される。
更に、参加者は、意見リストの確認後、トップボタン４７３をマウスポインタ４でクリック操作することによって、意見情報を閲覧することなしに意見リストページ４７の表示を終了させる。この場合、表示部２４にはトップページ４２が再び表示される。
【００７１】
図１５は、表示部２４に表示される意見ページ４８を示している。
意見ページ４８には、その上部に、提案リストページ４４で選択され提案・投票ページ４５に表示された提案情報の提案タイトルが表示されている。また、前記提案情報に対する意見情報の意見タイトル、投稿者名、及び意見内容が表示されている。
【００７２】
また、提案・投票ページ４５には、その下部に、参加者が、前記意見情報に対する第２意見（又は第３意見若しくは第４意見等）である意見情報を入力すべく、意見タイトル及び意見内容を記入するためのテキストボックス４８１，４８２と、テキストボックス４８１，４８２に記入した意見タイトル及び意見内容を入力するための投稿ボタン４８３とを備える。
ただし、前記提案情報に関連付けて、発言関係データベース１７に、可決情報又は否決情報が記憶されている場合、テキストボックス４８１，４８２と投稿ボタン４８３とは設けられない。
【００７３】
また、意見ページ４８には、参加者が意見情報を入力せず、再び意見リストページ４７を閲覧する場合に操作する意見リストボタン４８４が設けられている。意見リストボタン４８４は、意見リストページ４７のウェブページデータを要求する要求情報を有する。
参加者は、操作部２５を用いてテキストボックス４８１に意見タイトルを記入し、テキストボックス４８２に意見内容を記入して、投稿ボタン４８３をクリック操作することによって、第２意見（又は第３意見若しくは第４意見等）である意見情報を入力する。この後、表示部２４にはトップページ４２が再び表示されるが、このとき表示されるトップページ４２には、意見情報の入力によって所定の点数が加算されたポイント合計の数値が表示される。
【００７４】
また、参加者は、意見情報の確認後、意見リストボタン４８４をマウスポインタ４でクリック操作することによって、意見情報を入力することなしに意見ページ４８の表示を終了させる。この場合、表示部２４には意見リストページ４７が再び表示される。
以上のようなウェブページは、図示はしないが、ログアウトを要求する要求情報を有するハイパーテキスト又はボタン等を夫々備える。
なお、各ウェブページは、表示部２４に設けられた同一のウィンドウに表示されても良く、個別のウィンドウに夫々表示されても良い。
【００７５】
図１６及び図１７は、端末装置２の会議処理の手順を示すフローチャートである。
端末装置２のＣＰＵ２０は、参加者が、操作部２５を用いてブラウザに所定のＵＲＬを入力したり、他のウェブページにて所定のハイパーテキストを選択操作したりした場合、中央装置１へコネクションを要求する要求情報を送信する（Ｓ１１）。
次いで、ＣＰＵ２０は、中央装置１からウェブページデータを受信したか否かを判定し（Ｓ１２）、受信していない場合は（Ｓ１２でＮＯ）、受信するまで待機する。
【００７６】
中央装置１からウェブページデータを受信した場合（Ｓ１２でＹＥＳ）、受信したウェブページデータを用いて表示部２４にウェブページを表示させる（Ｓ１３）。この場合、表示部２４に表示されるウェブページはログインページ４１である。
【００７７】
ＣＰＵ２０は、ログインページ４１上でユーザＩＤ及びパスワードがテキストボックス４１１，４１２に記入され、ＯＫボタン４１３が操作されることによってユーザＩＤ及びパスワードが入力されたか否か（ログインが要求されたか否か）を判定し（Ｓ１４）、入力されていない場合は（Ｓ１４でＮＯ）入力されるまで待機する。
ユーザＩＤ及びパスワードが入力された場合（Ｓ１４でＹＥＳ）、ＣＰＵ２０は、入力されたユーザＩＤ及びパスワードを中央装置１へ送信し（Ｓ１５）、次に、中央装置１からウェブページデータを受信したか否かを判定して（Ｓ１６）、受信していない場合は（Ｓ１６でＮＯ）、受信するまで待機する。
【００７８】
中央装置１からウェブページデータを受信した場合（Ｓ１６でＹＥＳ）、ＣＰＵ２０は、受信したウェブページデータと同時的にセッションＩＤも受信したか否かを判定し（Ｓ１７）、受信していない場合は（Ｓ１７でＮＯ）、Ｓ１６で受信したウェブページデータを用いて表示部２４にウェブページを表示させる（Ｓ１８）。この場合、表示部２４に表示されるウェブページは、ユーザＩＤ及びパスワードが、登録された参加者のユーザＩＤ及びパスワードとは異なる旨を報知するユーザ未登録ページである。
このようなユーザ未登録ページの表示後、ＣＰＵ２０は、会議処理を終了する。
【００７９】
なお、ユーザ未登録ページに、ユーザＩＤ及びパスワードを入力するテキストボックス及びＯＫボタン等が設けられていても良い。この場合、Ｓ１８の処理の終了後、ＣＰＵ２０は、処理をＳ１４へ戻す。
【００８０】
Ｓ１６で受信したウェブページデータと同時的にセッションＩＤも受信した場合（Ｓ１７でＹＥＳ）、ＣＰＵ２０は、受信したセッションＩＤをＲＡＭ２２に記憶させ（Ｓ１９）、前記ウェブページデータを用いて表示部２４にウェブページを表示させる（Ｓ３１）。この場合、表示部２４に表示されるウェブページはトップページ４２である。
受信したウェブページの表示後、ＣＰＵ２０は、ウェブページ上でハイパーテキスト（トップページ４２の場合はハイパーテキスト４２１又はハイパーテキスト４２２）がクリック操作されることによって別コンテンツが要求されたか否かを判定する（Ｓ３２）。
【００８１】
ハイパーテキストがクリック操作されて別コンテンツが要求された場合（Ｓ３２でＹＥＳ）、クリック操作されたハイパーテキストが有する要求情報とＲＡＭ２２に記憶してあるセッションＩＤとを中央装置１へ送信する（Ｓ３３）。
次に、ＣＰＵ２０は、中央装置１からウェブページデータを受信したか否かを判定して（Ｓ３８）、受信していない場合は（Ｓ３８でＮＯ）、受信するまで待機する。
中央装置１からウェブページデータを受信した場合（Ｓ３８でＹＥＳ）、ＣＰＵ２０は、処理をＳ３１へ移す。この場合、Ｓ３１にて表示されるウェブページは、例えばＳ３２でトップページ４２のハイパーテキスト４２１がクリック操作されたときは、新規提案ページ４３である。
【００８２】
ハイパーテキストがクリック操作されておらず別コンテンツが要求されていない場合（Ｓ３２でＮＯ）、ＣＰＵ２０は、ウェブページ上で、テキストボックスに提案タイトル又は意見タイトルと提案内容又は意見内容とが記入されて投稿ボタンが操作されることによって提案情報又は意見情報が入力されたか否かを判定する（Ｓ３４）。この場合、例えば新規提案ページ４３上でテキストボックス４３１，４３２に提案タイトル及び提案内容が記入されて投稿ボタン４３３が操作されたときに提案情報が入力されたと判定する。
【００８３】
提案情報又は意見情報が入力された場合（Ｓ３４でＹＥＳ）、ＣＰＵ２０は、入力された提案情報又は意見情報とＲＡＭ２２に記憶してあるセッションＩＤとを中央装置１へ送信し（Ｓ３５）、処理をＳ３８へ移す。Ｓ３８においてウェブページデータを受信した場合、Ｓ３１で表示されるウェブページは、例えばＳ３４において新規提案ページ４３上で提案情報が入力されているときはトップページ４２である。
【００８４】
提案情報又は意見情報が入力されていない場合（Ｓ３４でＮＯ）、ＣＰＵ２０は、提案・投票ページ４５に設けられている賛成ボタン４５１、反対ボタン４５２、又は中立ボタン４５３がクリック操作されることによって投票情報が入力されたか否かを判定する（Ｓ３６）。提案・投票ページ４５は、Ｓ３２でトップページ４２のハイパーテキスト４２２がクリック操作された後、Ｓ３１で提案リストページ４４が表示され、次いで、Ｓ３２で提案リストページ４４のハイパーテキスト４４１がクリック操作された場合に、Ｓ３１で表示される。
【００８５】
提案・投票ページ４５上で投票情報が入力された場合（Ｓ３６でＹＥＳ）、ＣＰＵ２０は、入力された投票情報及びＲＡＭ２２に記憶してあるセッションＩＤを中央装置１へ送信し（Ｓ３７）、処理をＳ３８へ移す。Ｓ３８においてウェブページデータを受信した場合、Ｓ３１で表示されるウェブページは、投票後の意見入力ページ４６である。
【００８６】
投票情報が入力されていない場合（Ｓ３６でＮＯ）、ＣＰＵ２０は、参加者が操作部２５を用いてウェブページ上の所定のハイパーリンク又はボタン等をクリック操作したりブラウザを終了させたりすることによってログアウトが要求されたか否かを判定し（Ｓ３９）、要求されていない場合は（Ｓ３９でＮＯ）、処理をＳ３２へ戻す。
ログアウトが要求された場合（Ｓ３９でＹＥＳ）、ＣＰＵ２０は、ログアウトの要求情報及びＲＡＭ２２に記憶してあるセッションＩＤを中央装置１へ送信し（Ｓ４１）、記憶してあるセッションＩＤをＲＡＭ２２から消去して（Ｓ４２）、会議処理を終了する。
【００８７】
図１８は、中央装置１の会議処理の手順を示すフローチャートである。以下では、中央装置１と一の端末装置２とが通信を行なう場合を例示する。
中央装置１のＣＰＵ１０は、端末装置２から、該中央装置１へコネクションを要求する要求情報を受信したか否かを判定し（Ｓ５１）、受信していない場合は（Ｓ５１でＮＯ）、受信するまで待機する。
中央装置１へコネクションを要求する要求情報を受信した場合（Ｓ５１でＹＥＳ）、端末装置２へ、ログインページ４１のウェブページデータを送信する（Ｓ５２）。
次いで、ＣＰＵ１０は、ユーザＩＤ及びパスワードを受信したか否かを判定し（Ｓ５３）、受信していない場合は（Ｓ５３でＮＯ）、受信するまで待機する。
【００８８】
ユーザＩＤ及びパスワードを受信した場合（Ｓ５３でＹＥＳ）、ＣＰＵ１０は、参加者データベース１５を検索し、受信したユーザＩＤ及びパスワードと一致するユーザＩＤ及びパスワードが記憶されているか否かを判定する（Ｓ５４）。
一致するユーザＩＤ及びパスワードが記憶されていない場合（Ｓ５４でＮＯ）、ＣＰＵ１０は、ユーザＩＤ及びパスワードが登録された参加者のユーザＩＤ及びパスワードとは異なる旨を報知するユーザ未登録ページのウェブページデータを、端末装置２へ送信し（Ｓ５５）、会議処理を終了する。
なお、ユーザ未登録ページに、ユーザＩＤ及びパスワードを入力するテキストボックスが設けられている場合は、Ｓ５５の処理の終了後、ＣＰＵ１０は、処理をＳ５３へ戻す。
【００８９】
Ｓ５３で受信したユーザＩＤ及びパスワードと一致するユーザＩＤ及びパスワードが記憶されている場合（Ｓ５４でＹＥＳ）、ＣＰＵ１０は、既に参加者データベース１５に記憶されているセッションＩＤとは異なるセッションＩＤを生成し、生成したセッションＩＤを、前記ユーザＩＤに関連付けて参加者データベース１５に記憶させる（Ｓ５６）。
次いで、ＣＰＵ１０は、トップページ４２のウェブページデータを生成し、生成したウェブページデータとＳ５６で生成したセッションＩＤとを、ユーザＩＤ及びパスワードを送信してきた端末装置２へ送信する（Ｓ５７）。この場合、生成されるトップページ４２のウェブページデータは、参加者データベース１５に記憶されているユーザ名とポイント合計の値とを含む。
【００９０】
次いで、ＣＰＵ１０は、会議実行処理のサブルーチンを呼び出して実行する（Ｓ５８）。
会議実行処理の終了後、ＣＰＵ１０は、Ｓ５６で参加者データベース１５に記憶させたセッションＩＤを消去して（Ｓ５９）、会議処理を終了する。
【００９１】
図１９〜図２１は、中央装置１の会議実行処理の手順を示すサブルーチンのフローチャートである。
ＣＰＵ１０は、要求情報及びセッションＩＤを受信したか否かを判定し（Ｓ７１）、ログアウトを要求する要求情報及びセッションＩＤを受信した場合（Ｓ７１でログアウト）、本サブルーチンを終了する。
なお、以下では図示しないが、後述するＳ７８、Ｓ９９、Ｓ１０４、Ｓ１１２又はＳ１１４において、ログアウトを要求する要求情報及びセッションＩＤを受信した場合、ＣＰＵ１０は、本サブルーチンを終了する。
【００９２】
トップページ４２のハイパーテキスト４２１が有する要求情報及びセッションＩＤを受信した場合（Ｓ７１で新規提案）、ＣＰＵ１０は、新規提案ページ４３のウェブページデータを端末装置２へ送信し（Ｓ７２）、次いで、提案情報及びセッションＩＤを受信したか否かを判定し（Ｓ７３）、受信していない場合は（Ｓ７３でＮＯ）、受信するまで待機する。
【００９３】
提案情報及びセッションＩＤを受信した場合（Ｓ７３でＹＥＳ）、ＣＰＵ１０は、受信した提案情報に対して提案Ｎｏ．を割り振り、該提案Ｎｏ．に関連付けて、前記提案情報（提案タイトル、提案の内容、及び投稿日時等）を発言内容データベース１８に記憶させる（Ｓ７４）。この場合、ＣＰＵ１０は、受信したセッションＩＤに関連付けて記憶されているユーザＩＤに関連付けて、参加者データベース１５に前記提案Ｎｏ．を記憶させ、また、前記ユーザＩＤに関連付けて記憶してある提案回数に１を加算し、前記ユーザＩＤに関連付けて記憶してあるユーザ名を投稿者名として、前記提案Ｎｏ．に関連付けて発言内容データベース１８に記憶させる。更に、ＣＰＵ１０は、前記提案Ｎｏ．を発言関係データベース１７に記憶させる。
【００９４】
また、ＣＰＵ１０は、提案情報による点数を算出して記憶する（Ｓ７５）。この場合、ＣＰＵ１０は、ポイントテーブル１４ａを参照し、提案情報に対応するポイント係数の値を、前記ユーザＩＤに関連付けて参加者データベース１５に記憶してあるポイント合計に加算する。
次いで、ＣＰＵ１０は、トップページ４２のウェブページデータを生成し、生成したウェブページデータを端末装置２へ送信する（Ｓ７６）。この場合、生成されるトップページ４２のウェブページデータは、参加者データベース１５に記憶されているユーザ名とＳ７５で算出された新たなポイント合計の値とを含む。
Ｓ７６の処理の終了後、ＣＰＵ１０は、処理をＳ７１へ戻す。
【００９５】
一方、トップページ４２のハイパーテキスト４２２が有する要求情報及びセッションＩＤを受信した場合（Ｓ７１で既存提案）、ＣＰＵ１０は、提案リストページ４４のウェブページデータを生成して端末装置２へ送信する（Ｓ７７）。この場合、生成する提案リストページ４４のウェブページデータは、発言内容データベース１８に記憶されている提案情報の提案タイトル及び投稿日時等と、前記提案情報の提案Ｎｏ．に関連付けて発言関係データベース１７に記憶されている総意見数とを含む。また、前記提案Ｎｏ．に関連付けて発言関係データベース１７に討論情報、又は可決情報若しくは否決情報が記憶されている場合、前記ウェブページデータは、前記提案Ｎｏ．の提案情報の提案タイトルに対応させて「討論中」マーク又は「決定」マークを表示するためのデータを有する。
【００９６】
ＣＰＵ１０は、要求情報及びセッションＩＤを受信したか否かを判定し（Ｓ７８）、プルダウンメニュー４４２のメニューが有する要求情報を受信した場合（Ｓ７８でソート）、処理をＳ７７へ戻し、前記メニューに対応する順番で提案リストを表示するよう提案リストページ４４のウェブページデータを生成して端末装置２へ送信する。
また、提案リストページ４４のハイパーテキスト４４３が有する要求情報及びセッションＩＤを受信した場合（Ｓ７８で集計結果）、ＣＰＵ１０は、集計結果ページを生成して端末装置２へ送信し（Ｓ７９）、処理をＳ７１へ戻して、集計結果ページのハイパーテキスト（トップページ４２に設けられているハイパーテキスト４２１，４２２と同様のハイパーテキスト）が有する要求情報又はログアウトを要求する要求情報を受信したか否かを判定する。
【００９７】
一方、提案リストページ４４のハイパーテキスト４４１，４１１，…の何れかが有する要求情報及びセッションＩＤを受信した場合（Ｓ７８で提案情報）、ＣＰＵ１０は、提案・投票ページ４５を生成して端末装置２へ送信する（Ｓ９１）。この場合、生成する提案・投票ページ４５のウェブページデータは、受信した要求情報に含まれる提案Ｎｏ．に基づいて、該提案Ｎｏ．に関連付けて発言内容データベース１８に記憶されている提案情報の提案タイトル及び提案内容等と、前記提案Ｎｏ．に関連付けて発言関係データベース１７に記憶されている得票数（即ち投票情報の集計結果）と、得票率とを含む。また、前記提案情報に関連付けて、発言関係データベース１７に、可決情報又は否決情報が記憶されている場合、賛成ボタン４５１、反対ボタン４５２、中立ボタン４５３、テキストボックス４５５，４５６及び投稿ボタン４５７は設けられない。
【００９８】
次いで、ＣＰＵ１０は、意見情報及びセッションＩＤを受信したか否かを判定し（Ｓ９２）、受信していない場合は（Ｓ９２でＮＯ）、投票情報及びセッションＩＤを受信したか否かを判定し（Ｓ９５）、受信していない場合は（Ｓ９５でＮＯ）、提案・投票ページ４５のハイパーテキスト４５４が有する要求情報を受信したか否かを判定し（Ｓ１０４）、受信していない場合は（Ｓ１０４でＮＯ）、処理をＳ９２へ戻す。
この場合、前記提案情報に関連付けて、発言関係データベース１７に、可決情報又は否決情報が記憶されているとき、提案・投票ページ４５に賛成ボタン４５１、反対ボタン４５２、及び中立ボタン４５３、並びにテキストボックス４５５，４５６及び投稿ボタン４５７が設けられないため、Ｓ９２とＳ９５とは必ずＮＯとなる。
【００９９】
意見情報及びセッションＩＤを受信した場合（Ｓ９２でＹＥＳ）、ＣＰＵ１０は、受信した意見情報に対して意見Ｎｏ．を割り振り、該意見Ｎｏ．に関連付けて、発言内容データベース１８に前記意見情報（意見タイトル、意見の内容、及び投稿日時等）を記憶させる（Ｓ９３）。
【０１００】
この場合、ＣＰＵ１０は、受信したセッションＩＤに対応するユーザＩＤに関連付けて、前記意見Ｎｏ．を、能動意見の意見Ｎｏ．として参加者データベース１５に記憶させ、また、前記ユーザＩＤに関連付けて記憶してある意見回数に１を加算し、前記ユーザＩＤに関連付けて記憶してあるユーザ名を投稿者名として、前記意見Ｎｏ．に関連付けて発言内容データベース１８に記憶させる。また、ＣＰＵ１０は、Ｓ９１で用いた提案Ｎｏ．に関連付けて参加者データベース１５に記憶してあるユーザＩＤを検索し、検索したユーザＩＤに関連付けて、Ｓ９２で受信した意見情報の意見Ｎｏ．を、受動意見の意見Ｎｏ．として参加者データベース１５に記憶させ、また、前記ユーザＩＤに関連付けて記憶してある意見数に１を加算する。更に、ＣＰＵ１０は、前記意見Ｎｏ．を、Ｓ９１で用いた提案Ｎｏ．に関連付けて発言関係データベース１７に記憶させる（即ち、前記意見情報を、第１意見として記憶させる）。
【０１０１】
次いで、ＣＰＵ１０は、算出・計数処理のサブルーチンを呼び出して実行し（Ｓ９４）、算出・計数処理の終了後、処理をＳ７６へ戻す。この場合、生成されるトップページ４２のウェブページデータは、参加者データベース１５に記憶されているユーザ名と算出・計数処理で算出された新たなポイント合計の値とを含む。
【０１０２】
一方、投票情報及びセッションＩＤを受信した場合（Ｓ９５でＹＥＳ）、ＣＰＵ１０は、受信した投票情報を集計する（Ｓ９６）。この場合、ＣＰＵ１０は、受信した投票情報（賛成情報、反対情報、又は中立情報）に応じて、Ｓ９１で用いた提案Ｎｏ．に関連付けて発言関係データベース１７に記憶されている得票数（賛成数、反対数、又は中立数）を１だけ増加させる。また、ＣＰＵ１０は、受信したセッションＩＤに対応するユーザＩＤに関連付けて、前記提案Ｎｏ．を賛成提案、反対提案、又は中立提案として投票データベース１６に記憶させ、更に、賛成回数、反対回数、又は中立回数を１だけ増加させる。
【０１０３】
次いで、ＣＰＵ１０は、算出・計数処理のサブルーチンを呼び出して実行し（Ｓ９７）、算出・計数処理の終了後、ＣＰＵ１０は、提案後の意見入力ページ４６のウェブページデータを端末装置２へ送信し（Ｓ９８）、次いで、ＯＫボタン４６１が有する要求情報を受信したか否かを判定する（Ｓ９９）。
前記要求情報を受信した場合（Ｓ９９でＹＥＳ）、ＣＰＵ１０は、処理をＳ７６へ戻す。この場合、生成されるトップページ４２のウェブページデータは、参加者データベース１５に記憶されているユーザ名とＳ９７の算出・計数処理で算出された新たなポイント合計の値とを含む。
【０１０４】
ＯＫボタン４６１が有する要求情報を受信していない場合（Ｓ９９でＮＯ）、意見情報及びセッションＩＤを受信したか否かを判定し（Ｓ１０１）、受信していない場合（Ｓ１０１でＮＯ）、ＣＰＵ１０は、Ｓ９９へ処理を戻し、受信した場合は（Ｓ１０１でＹＥＳ）、受信した意見情報に対して意見Ｎｏ．を割り振り、該意見Ｎｏ．に関連付けて、前記意見情報（意見タイトル、意見の内容、及び投稿日時等）を発言内容データベース１８に記憶させる（Ｓ１０２）。
【０１０５】
この場合、ＣＰＵ１０は、受信したセッションＩＤに対応するユーザＩＤに関連付けて、前記意見Ｎｏ．を、能動意見の意見Ｎｏ．として参加者データベース１５に記憶させ、また、前記ユーザＩＤに関連付けて記憶してある意見回数に１を加算し、前記ユーザＩＤに関連付けて記憶してあるユーザ名を投稿者名として、前記意見Ｎｏ．に関連付けて発言内容データベース１８に記憶させる。また、ＣＰＵ１０は、Ｓ９１で用いた提案Ｎｏ．に関連付けて参加者データベース１５に記憶してあるユーザＩＤを検索し、検索したユーザＩＤに関連付けて、Ｓ１０１で受信した意見情報の意見Ｎｏ．を、受動意見の意見Ｎｏ．として参加者データベース１５に記憶させ、また、前記ユーザＩＤに関連付けて記憶してある意見数に１を加算する。更に、ＣＰＵ１０は、前記意見Ｎｏ．を、Ｓ９１で用いた提案Ｎｏ．に関連付けて発言関係データベース１７に記憶させる（即ち、前記意見情報を、第１意見として記憶させる）。
【０１０６】
Ｓ１０２の処理の終了後、ＣＰＵ１０は、算出・計数処理のサブルーチンを呼び出して実行し（Ｓ１０３）、算出・計数処理の終了後、処理をＳ７６へ戻す。この場合、生成されるトップページ４２のウェブページデータは、参加者データベース１５に記憶されているユーザ名とＳ９７及びＳ１０３の算出・計数処理で算出された新たなポイント合計の値とを含む。
【０１０７】
一方、提案・投票ページ４５のハイパーテキスト４５４が有する要求情報を受信した場合（Ｓ１０４でＹＥＳ）、ＣＰＵ１０は、意見リストページ４７のウェブページデータを生成して端末装置２へ送信する（Ｓ１１１）。この場合、生成する意見リストページ４７のウェブページデータは、Ｓ９１で用いられた提案Ｎｏ．に関連付けて発言関係データベース１７に第１意見又は第２意見等として記憶されている意見Ｎｏ．に関連付けて発言内容データベース１８に記憶されている意見情報の意見タイトルを含む。また、前記意見Ｎｏ．に関連付けて発言内容データベース１８に賛否を示す情報（賛成又は反対）が記憶されている場合は、前記意見Ｎｏ．を有する意見情報の意見タイトルに対応させて「賛成」マーク又は「反対」マークを表示するためのデータも含む。
【０１０８】
次いで、ＣＰＵ１０は、要求情報及びセッションＩＤを受信したか否かを判定し（Ｓ１１２）、プルダウンメニュー４７２のメニューが有する要求情報を受信した場合（Ｓ１１２でソート）、処理をＳ１１１へ戻し、前記メニューに対応する順番で意見リストを表示するよう意見リストページ４７のウェブページデータを生成して端末装置２へ送信する。
トップボタン４７３が有する要求情報を受信した場合（Ｓ１１２でトップ）、ＣＰＵ１０は、処理をＳ７６へ戻す。
【０１０９】
意見リストページ４７のハイパーテキスト４７１，４７１，…の何れかが有する要求情報及びセッションＩＤを受信した場合（Ｓ１１２で意見情報）、ＣＰＵ１０は、意見ページ４８を生成して端末装置２へ送信する（Ｓ１１３）。この場合、生成する意見ページ４８のウェブページデータは、受信した要求情報に含まれる意見Ｎｏ．に基づいて、該意見Ｎｏ．に関連付けて発言内容データベース１８に記憶されている意見情報の提案タイトル及び提案内容等を含む。Ｓ９１で用いた提案Ｎｏ．に対応する提案情報に関連付けて、発言関係データベース１７に、可決情報又は否決情報が記憶されている場合、テキストボックス４８１，４８２及び投稿ボタン４８３は設けられない。
次いで、ＣＰＵ１０は、意見リストボタン４８４が有する要求情報を受信したか否かを判定し（Ｓ１１４）、受信した場合（Ｓ１１４でＹＥＳ）、処理をＳ１１１へ戻す。
【０１１０】
意見リストボタン４８４が有する要求情報を受信していない場合（Ｓ１１４でＮＯ）、ＣＰＵ１０は、意見情報及びセッションＩＤを受信したか否かを判定し（Ｓ１１５）、受信していない場合（Ｓ１１５でＮＯ）、ＣＰＵ１０は、Ｓ１１４へ処理を戻す。
ただし、前記提案情報に関連付けて、発言関係データベース１７に、可決情報又は否決情報が記憶されている場合、テキストボックス４８１，４８２及び投稿ボタン４８３が設けられないため、Ｓ１１５は必ずＮＯとなる。
意見情報及びセッションＩＤを受信した場合（Ｓ１１５でＹＥＳ）、ＣＰＵ１０は、受信した意見情報に対して意見Ｎｏ．を割り振り、該意見Ｎｏ．に関連付けて、前記意見情報（意見タイトル、投稿者名、意見の内容、及び投稿日時等）を発言内容データベース１８に記憶させる（Ｓ１１６）。
【０１１１】
この場合、ＣＰＵ１０は、受信したセッションＩＤに対応するユーザＩＤに関連付けて、前記意見Ｎｏ．を、能動意見の意見Ｎｏ．として参加者データベース１５に記憶させ、また、前記ユーザＩＤに関連付けて記憶してある意見回数に１を加算し、前記ユーザＩＤに関連付けて記憶してあるユーザ名を投稿者名として、前記意見Ｎｏ．に関連付けて発言内容データベース１８に記憶させる。また、ＣＰＵ１０は、Ｓ１１２で用いた意見Ｎｏ．に関連付けて参加者データベース１５に記憶してあるユーザＩＤを検索し、検索したユーザＩＤに関連付けて、Ｓ１１５で受信した意見情報の意見Ｎｏ．を、受動意見の意見Ｎｏ．として参加者データベース１５に記憶させ、また、前記ユーザＩＤに関連付けて記憶してある意見数に１を加算する。更に、ＣＰＵ１０は、前記意見Ｎｏ．を、Ｓ１１２で用いた意見Ｎｏ．に関連付けて発言関係データベース１７に記憶させる（即ち、前記意見情報を、第２意見又は第３意見等として記憶させる）。
【０１１２】
Ｓ１１６の処理の終了後、ＣＰＵ１０は、算出・計数処理のサブルーチンを呼び出して実行し（Ｓ１１７）、算出・計数処理の終了後、処理をＳ７６へ戻す。この場合、生成されるトップページ４２のウェブページデータは、参加者データベース１５に記憶されているユーザ名とＳ１１６の算出・計数処理で算出された新たなポイント合計の値とを含む。
なお、Ｓ１１７の処理後、中央装置１が端末装置２へトップページ４２のウェブページデータを送信することによって、参加者は、意見情報の入力によって累積されたポイント合計の値を知ることができるが、Ｓ１１７の処理後、意見リストページ４７のウェブページデータを送信するよう構成しても良い。この場合、参加者は、同一の提案情報に関する他の意見情報を閲覧したり該意見情報に対する意見情報を入力したりすることが容易になる。
【０１１３】
図２２は、中央装置１の算出・計数処理の手順を示すサブルーチンのフローチャートである。
ＣＰＵ１０は、本サブルーチンがＳ９４、Ｓ１０３又はＳ１１７で実行された場合は、受信した意見情報による点数を算出し、Ｓ９７で実行された場合は、受信した投票情報による点数を算出する（Ｓ１３１）。
本サブルーチンがＳ９７で実行された場合（投票情報の場合）、ＣＰＵ１０は、ポイントテーブル１４ａを参照し、投票情報に対応するポイント係数の値を、投票情報と共に受信したユーザＩＤに関連付けて参加者データベース１５に記憶してあるポイント合計に加算する。
【０１１４】
また、本サブルーチンがＳ９４、Ｓ１０３又はＳ１１７で実行された場合（意見情報の場合）、ＣＰＵ１０は、ポイントテーブル１４ａを参照し、能動意見である意見情報に対応するポイント係数の値を、該意見情報と共に受信したユーザＩＤに関連付けて参加者データベース１５に記憶してあるポイント合計に加算し、また、受動意見である意見情報に対応するポイント係数の値を、前記意見情報が対応する提案情報又は意見情報と共に受信したユーザＩＤに関連付けて参加者データベース１５に記憶してあるポイント合計に加算する。
【０１１５】
次いで、ＣＰＵ１０は、受信した意見情報又は投票情報に対応する提案情報の提案Ｎｏ．に関連付けて、発言関係データベース１７に、討論情報が記憶されているか否かを判定し（Ｓ１３２）、記憶されている場合は（Ｓ１３２でＹＥＳ）、前記提案Ｎｏ．に関連付けて発言関係データベース１７に記憶されている賛成数又は反対数が、参加者データベースに記憶されているユーザＩＤの個数の半数以上であるか否かを判定する（Ｓ１３３）。賛成数が半数以上である場合（Ｓ１３３で賛成）、ＣＰＵ１０は、前記提案Ｎｏ．に関連付けて可決情報を発言関係データベース１７に記憶させ（Ｓ１３４）、反対数が半数以上である場合は（Ｓ１３３で反対）、前記提案Ｎｏ．に関連付けて否決情報を発言関係データベース１７に記憶させる（Ｓ１３５）。Ｓ１３４若しくはＳ１３５の処理の終了後、又は、賛成数と反対数とが共に半数未満である場合（Ｓ１３３でＮＯ）、ＣＰＵ１０は、本サブルーチンを終了する。
【０１１６】
一方、受信した意見情報又は投票情報に対応する提案情報の提案Ｎｏ．に関連付けて討論情報が記憶されていない場合（Ｓ１３２でＮＯ）、ＣＰＵ１０は、前記提案Ｎｏ．に関連付けて発言関係データベース１７に記憶されている総意見数又は得票数の何れかが所定数以上であるか否かを判定し（Ｓ１３６）、所定数以上である場合は（Ｓ１３６でＹＥＳ）、前記提案Ｎｏ．に関連付けて発言関係データベース１７に討論情報を記憶させ（Ｓ１３７）、Ｓ１３７の処理の終了後、又は、総意見数及び得票数の全てが所定数未満である場合は（Ｓ１３６でＮＯ）、本サブルーチンを終了する。
【０１１７】
以上のような会議システムを用い、各参加者は、端末装置２を用いて、ユーザＩＤ及びパスワードを入力して会議システムにログインすることによって、任意の時間に任意の場所で会議に参加し、既存の発言情報を閲覧したり、新たな発言情報を入力したりして討論を行ない、更に、投票情報を入力して採決における意思表示を行なう。
また、発言情報又は投票情報を入力する都度、また、自分が入力した発言情報に対する意見情報が入力される都度、参加者は所定の点数を得る。この点数は、例えば、家具又は自動車等の物品と引き換える対価として用いられたり物品購入時の値引き率に換算されたりし、また、所定期間内に累積された点数の多寡に応じて、賞品が与えられたりプレゼントの応募資格が得られたりする。
【０１１８】
中央装置１の発言内容データベース１８に、提案情報及び意見情報が記憶されており、記憶してある提案情報及び意見情報を表示するウェブページデータを生成して端末装置２へ送信し、端末装置２に提案情報及び意見情報を表示させるため、本実施の形態の会議システムにおいては、参加者毎に配布すべき議事録を改めて生成する必要がない。また、発言情報のソートも容易である。
また、提案情報に関連付けて、発言関係データベース１７に討論情報が記憶されている場合は、該提案情報に関して活発な討論が行なわれていたり多数の参加者が前記提案情報に関心を持っていたりすることを報知する「討論中」マークを表示するウェブページデータを生成するため、「討論中」マークを確認した参加者は、そのような提案情報に対して興味を覚え、該提案情報に対する意見情報を入力したり投票情報を入力したりする。
【０１１９】
更に、提案情報に関連付けて、発言関係データベース１７に可決情報又は否決情報が記憶されているため、提案の採否を容易に判定することができる。また、発言関係データベース１７に可決情報又は否決情報が記憶されている場合は、前記提案情報に対する発言情報及び投票情報の入力を禁止するため、参加者が、既に賛否が決定された提案情報に対して無駄な発言情報及び投票情報を入力してしまうことを防止する。
なお、本実施の形態においては、文字情報を用いてなる提案情報及び意見情報を例示したが、画像情報又は音声情報等を用いてなる提案情報及び意見情報であっても良い。
また、参加者が入力した提案情報に対する投票情報（例えば賛成情報）が入力された場合にも、前記参加者に点数が与えられるよう構成されていても良い。
【０１２０】
【発明の効果】
本発明の会議方法、会議システム、情報処理装置、及びコンピュータプログラムによれば、受信した提案情報、意見情報、賛成情報又は反対情報を数値化して記憶しておく。数値化された各種情報は、例えば、点数情報として扱い、この点数情報を参加者に与える点数として用いて、１回の得点、又は累積された得点の多寡に応じて参加者に特典を与えたり、前記得点の多寡を参加者同士で競わせ、勝者に特典を与えたりすることができる。この場合、参加者は、会議に参加して討論を行ない採決に関わるという動機に加えて、高い点数又は多くの点数を得るという動機、あるいは、その点数に基づく特典を得るという動機を持つことができる。
【０１２１】
このため、本発明の会議方法及び会議システムは、各参加者の積極的な討論及び採決における意思表示を促進することができる。また、本発明の情報処理装置は、このような会議システムを構成する中央装置として機能することができ、本発明のコンピュータプログラムは、コンピュータを、このような情報処理装置として動作させることができる。
更に、各参加者が積極的な積極的な発言又は意思表示を行なうことにより、会議を活性化することができ、また、会議への参加人数を増大させて、会議の実効性を向上させることができる等、本発明は優れた効果を奏する。
【図面の簡単な説明】
【図１】本発明に係る会議システムの構成を示す説明図である。
【図２】本発明に係る会議システムを構成する中央装置のブロック図である。
【図３】本発明に係る会議システムを構成する中央装置が備える参加者データベースに記憶されている情報の一例を示す模式図である。
【図４】本発明に係る会議システムを構成する中央装置が備える補助記憶部に記憶されているポイントテーブルの一例を示す模式図である。
【図５】本発明に係る会議システムを構成する中央装置が備える投票データベースに記憶されている情報の一例を示す模式図である。
【図６】本発明に係る会議システムを構成する中央装置が備える発言関係データベースに記憶されている情報の一例を示す模式図である。
【図７】本発明に係る会議システムを構成する中央装置が備える発言内容データベースに記憶されている情報の一例を示す模式図である。
【図８】本発明に係る会議システムを構成する端末装置が備える表示部に表示されるウェブページ（ログインページ）の一例を示す模式図である。
【図９】本発明に係る会議システムを構成する端末装置が備える表示部に表示されるウェブページ（トップページ）の一例を示す模式図である。
【図１０】本発明に係る会議システムを構成する端末装置が備える表示部に表示されるウェブページ（新規提案ページ）の一例を示す模式図である。
【図１１】本発明に係る会議システムを構成する端末装置が備える表示部に表示されるウェブページ（提案リストページ）の一例を示す模式図である。
【図１２】本発明に係る会議システムを構成する端末装置が備える表示部に表示されるウェブページ（提案・投票ページ）の一例を示す模式図である。
【図１３】本発明に係る会議システムを構成する端末装置が備える表示部に表示されるウェブページ（投票後の意見入力ページ）の一例を示す模式図である。
【図１４】本発明に係る会議システムを構成する端末装置が備える表示部に表示されるウェブページ（意見リストページ）の一例を示す模式図である。
【図１５】本発明に係る会議システムを構成する端末装置が備える表示部に表示されるウェブページ（意見ページ）の一例を示す模式図である。
【図１６】本発明に係る会議システムを構成する端末装置の会議処理の手順を示すフローチャートである。
【図１７】本発明に係る会議システムを構成する端末装置の会議処理の手順を示すフローチャートである。
【図１８】本発明に係る会議システムを構成する中央装置の会議処理の手順を示すフローチャートである。
【図１９】本発明に係る会議システムを構成する中央装置の会議実行処理の手順を示すサブルーチンのフローチャートである。
【図２０】本発明に係る会議システムを構成する中央装置の会議実行処理の手順を示すサブルーチンのフローチャートである。
【図２１】本発明に係る会議システムを構成する中央装置の会議実行処理の手順を示すサブルーチンのフローチャートである。
【図２２】本発明に係る会議システムを構成する中央装置の算出・計数処理の手順を示すサブルーチンのフローチャートである。
【符号の説明】
１  中央装置
２  端末装置
１０，２０  ＣＰＵ
１１，２１  ＲＯＭ
１２，２２  ＲＡＭ
１３，２７  ネットワークＩ／Ｆ
１４  補助記憶部
１４ａ  ポイントテーブル
１５  参加者データベース
１６  投票データベース
１７  発言関係データベース
１８  発言内容データベース
２４  表示部
２５  操作部
【図１】
2004236196.tif 000003
【図２】
2004236196.tif 000004
【図３】
2004236196.tif 000005
【図４】
2004236196.tif 000006
【図５】
2004236196.tif 000007
【図６】
2004236196.tif 000008
【図７】
2004236196.tif 000009
【図８】
2004236196.tif 000010
【図９】
2004236196.tif 000011
【図１０】
2004236196.tif 000012
【図１１】
2004236196.tif 000013
【図１２】
2004236196.tif 000014
【図１３】
2004236196.tif 000015
【図１４】
2004236196.tif 000016
【図１５】
2004236196.tif 000017
【図１６】
2004236196.tif 000018
【図１７】
2004236196.tif 000019
【図１８】
2004236196.tif 000020
【図１９】
2004236196.tif 000021
【図２０】
2004236196.tif 000022
【図２１】
2004236196.tif 000023
【図２２】
2004236196.tif 000024